(57)【要約】【課題】  電源投入の際に所定の認証処理を条件にランプ部に電源投入することにより、ランプ部の電源投入に対するセキュリティを持たせた投射装置を提供する。【解決手段】  電源部２９からの電源を選択的に供給するスイッチ部３２−２と、投射光を発光しこれを照射するランプ部３０，３１と、複数の操作スイッチをもつ操作部２３と、外部から与えられた映像信号に応じる映像を表示部に表示し、ランプ部からの投射光を表示部に透過させることで、映像が含まれる投射光を外部に投射する投射部３１，１６と、操作部である電源スイッチＫ１の押下を検出し操作部の所定の操作スイッチが予め記憶された所定手順で操作されたことを検出した時、スイッチ部が電源をランプ部に供給するべく制御する制御部２７，３２をもつ投射装置である。【選択図】      図１
2005338604.tif 000002
【特許請求の範囲】
【請求項１】
電源を各部に供給する電源部と、
前記電源部からの電源を受け、これを選択的に供給するスイッチ部と、
前記スイッチ部から前記電源を供給され、投射光を発光しこれを照射するランプ部と、
複数の操作スイッチをもつ操作部と、
前記操作部の操作に応じて、外部から与えられた映像信号に応じる映像を表示部に表示し、前記ランプ部からの投射光を前記表示部に透過させることで、映像が含まれる投射光を外部に投射する投射部と、
前記操作部である電源スイッチの押下を検出し、前記操作部の所定の操作スイッチが予め記憶された所定手順で操作されたことを検出した時、前記スイッチ部が前記電源を前記ランプ部に供給するべく制御する制御部と、
を具備することを特徴とする投射装置。
【請求項２】
前記制御部が前記電源スイッチの押下を検出すると、前記操作部の所定操作の有無を判断する認証処理が設定されている場合、ユーザに前記操作部の入力を促すべく表示する操作表示部を更に有することを特徴とする請求項１記載の投射装置。
【請求項３】
前記制御部が前記電源スイッチの押下を検出すると、前記操作部の所定操作の有無を判断する認証処理が設定されている場合、発光ダイオードを発光又は点滅させることを特徴とする請求項１記載の投射装置。
【請求項４】
前記制御部は、前記操作部の所定の操作スイッチが予め記憶された所定手順で操作されたことを検出して前記ランプ部に電源を供給した後も、更に、所定操作がなされないと、前記映像信号に応じた映像を前記表示部に表示しないように前記投射部を制御することを特徴とする請求項１記載の投射装置。
【請求項５】
前記制御部は、ユーザの操作に応じて、前記操作部の操作スイッチの所定の手順を記憶することを特徴とする請求項１記載の投射装置。
【請求項６】
前記制御部が記憶している前記所定操作スイッチの所定手順とは、前記操作部の操作スイッチである上下左右の各カーソルキー、インプットキー、リターンキー、メニュキー、セットアップキー、エンターキーの少なくとも一つの押下の手順であることを特徴とする請求項１記載の投射装置。
【請求項７】
前記制御部が記憶している前記所定操作スイッチの所定手順とは、前記操作部に含まれるリモコンの所定の操作スイッチが所定手順で押下されることを特徴とする請求項１記載の投射装置。
【請求項８】
前記制御部が記憶している前記所定操作スイッチの所定手順とは、前記操作部の操作スイッチである電源スイッチが所定時間押下され続けることを特徴とする請求項１記載の投射装置。
【請求項９】
前記制御部が記憶している前記所定操作スイッチの所定手順とは、前記操作部の操作スイッチである電源スイッチが所定回数、押下されることを特徴とする請求項１記載の投射装置。
【請求項１０】
前記制御部は、前記操作部の認証処理を解除すべく設定されると、前記電源スイッチの押下の検出に応じて、前記ランプ部を含む前記投射装置の各部に前記電源を供給するべく前記電源部を制御することを特徴とする請求項１記載の投射装置。
【請求項１１】
電源部と、投射光を発光しこれを照射するランプ部と、複数の操作スイッチをもつ操作部と、前記操作部の操作に応じて、外部から与えられた映像信号に応じる映像を表示部に表示し、前記ランプ部からの投射光を前記表示部に透過させることで、映像が含まれる投射光を外部に投射する投射部とを有する投射装置に対して、
前記操作部である電源スイッチの押下を検出し、前記操作部の所定の操作スイッチが予め記憶された所定手順で操作されたことを検出した時、前記電源を前記ランプ部に供給するべく制御することを特徴とする投射装置の制御方法。
【請求項１２】
前記電源スイッチの押下を検出すると、前記操作部の所定操作の有無を判断する認証処理が設定されている場合、ユーザに前記操作部の入力を促すべく表示することを特徴とする請求項１１記載の投射装置の制御方法。
【請求項１３】
前記電源スイッチの押下を検出すると、前記操作部の所定操作の有無を判断する認証処理が設定されている場合、発光ダイオードを発光又は点滅させることを特徴とする請求項１１記載の投射装置の制御方法。
【請求項１４】
前記操作部の所定の操作スイッチが予め記憶された所定手順で操作されたことを検出して前記ランプ部に電源を供給した後も、更に、所定操作がなされないと、前記映像信号に応じた映像を前記表示部に表示しないように前記投射部を制御することを特徴とする請求項１１記載の投射装置の制御方法。
【請求項１５】
ユーザの操作に応じて、前記操作部の操作スイッチの所定の手順を記憶することを特徴とする請求項１１記載の投射装置の制御方法。
【請求項１６】
前記所定操作スイッチの所定手順とは、前記操作部の操作スイッチである上下左右の各カーソルキー、インプットキー、リターンキー、メニュキー、セットアップキー、エンターキーの少なくとも一つの押下の手順であることを特徴とする請求項１１記載の投射装置の制御方法。
【請求項１７】
前記所定操作スイッチの所定手順とは、前記操作部に含まれるリモコンの所定の操作スイッチが所定手順で押下されることを特徴とする請求項１１記載の投射装置の制御方法。
【請求項１８】
前記所定操作スイッチの所定手順とは、前記操作部の操作スイッチである電源スイッチが所定時間押下され続けることを特徴とする請求項１１記載の投射装置の制御方法。
【請求項１９】
前記所定操作スイッチの所定手順とは、前記操作部の操作スイッチである電源スイッチが所定回数、押下されることを特徴とする請求項１１記載の投射装置の制御方法。
【請求項２０】
前記操作部の認証処理を解除すべく設定されると、前記電源スイッチの押下の検出に応じて、前記ランプ部を含む前記投射装置の各部に前記電源を供給するべく前記電源部を制御することを特徴とする請求項１１記載の投射装置の制御方法。
【発明の詳細な説明】
【技術分野】
【０００１】
この発明は、ランプ部をもつ投射装置に関し、特に、電源投入時に認証処理を経た上でランプ部に電源を供給する投射装置及び投射方法に関する。
【背景技術】
【０００２】
最近、多くのデジタル映像機器が普及してきており、例えば、液晶プロジェクタやＤＬＰプロジェクタ等の光源ランプを用いた投射装置がある。このような液晶プロジェクタ等の投射装置では、第三者が不当に操作することを回避するべく、認証を設定することが知られている。
【０００３】
特許文献１は、プロジェクタとパーソナルコンピュータとの接続において、パスワードを必要とする認証処理をもたせることにより、パーソナルコンピュータから供給される映像情報が外部から傍受されることを防止することができ、一定のセキュリティをもたせることが可能となる。
【特許文献１】特開２００３−６９９２３号公報。
【発明の開示】
【発明が解決しようとする課題】
【０００４】
しかし、一般に投射装置においては、特にランプ部が高価な消耗品であり、そのため、不当な第三者の操作によって電源が投入され長期間放置されることでランプ部が消耗してしまい寿命が尽きてしまうという場合に対して対策が必要とされている。従って、映像情報に対するセキュリティではなく、ランプ部の電源供給に対するセキュリティが望まれているが、上記した従来技術では、このようなランプ部を保護するためのセキュリティ対策を施すことができないという問題がある。
【０００５】
本発明は、電源投入の際に所定の認証処理を条件にランプ部に電源投入することにより、ランプ部の電源投入に対するセキュリティを持たせた投射装置と投射装置の制御方法とを提供することを目的とする。
【課題を解決するための手段】
【０００６】
本発明は、電源を各部に供給する電源部と、前記電源部からの電源を受け、これを選択的に供給するスイッチ部と、前記スイッチ部から前記電源を供給され、投射光を発光しこれを照射するランプ部と、複数の操作スイッチをもつ操作部と、前記操作部の操作に応じて、外部から与えられた映像信号に応じる映像を表示部に表示し、前記ランプ部からの投射光を前記表示部に透過させることで、映像が含まれる投射光を外部に投射する投射部と、前記操作部である電源スイッチの押下を検出し、前記操作部の所定の操作スイッチが予め記憶された所定手順で操作されたことを検出した時、前記スイッチ部が前記電源を前記ランプ部に供給するべく制御する制御部とを具備することを特徴とする投射装置である。
【発明の効果】
【０００７】
上記した投射装置においては、電源投入時にランプ部の電源供給について認証処理を行うものであり、予めユーザの設定において操作スイッチの操作シーケンスを記憶しておき、その後、ユーザが電源を投入するべく電源スイッチを押すと、例えば、発光ダイオード等が点滅し、操作スイッチ等の認証処理を促すものであり、この段階では、制御部その他には電源は供給されるがランプ部には供給されないことで、セキュリティをもたせるものである。すなわち、投射装置においては、不当な第三者が投射装置の電源投入してランプが照射され、例えば、そのまま１ヶ月も放置されたために、高価なランプ部の寿命が尽きてしまった等の不具合が予想され、上記の操作スイッチ等の認証処理により、このような不具合を防止するものである。又、更に、投射装置において、不必要に電源を入れたり切ったりすることによる点灯ランプの消耗を保護したり、誤操作によって意図せずに投射装置の電源が入ることを防止する意味もある。
【０００８】
ここで、この認証処理の所定の操作スイッチの選択やその入力シーケンスは、ユーザによりメニュ画面から任意に設定することができ、例えば、操作スイッチである上下左右の各カーソルキー、インプットキー、リターンキー、メニュキー、セットアップキー、エンターキーの少なくとも一つの押下の手順である。すなわち、カーソルキーについて、『上上左右右』であってもよく、又、『インプットキー、メニュキー、リターンキー、リターンキー』等の、通常の操作ではあまり考えられない操作スイッチの操作手順であることが好適である。又、電源スイッチが所定時間、例えば、８秒間、押下しつづけられることで特定することも好適である。
【発明を実施するための最良の形態】
【０００９】
以下、図面を参照しながら、本発明の一実施形態に係る投射装置の実施形態について詳細に説明する。本発明の一実施形態に係る投射装置は、電源投入時に、例えば、特定の操作スイッチの操作シーケンスを予め記憶しておくことで認証処理を設定し、ユーザに対して、電源スイッチが押下されても、その後に設定された特定の操作スイッチによる操作シーケンスがなければ、特にランプ部に電源を供給しないことにより、セキュリティをもたせるものである。以下では、特に、プロジェクタ装置である投射装置を例にとって、図面を用いて詳細に説明する。
【００１０】
＜本発明の一実施形態に係る投射装置＞
（構成）
図１は、本発明の一実施形態に係る投射装置の構成の一例を示すブロック図、図２は、本発明の一実施形態に係る投射装置の概観の一例を示す概観図、図３は、本発明の一実施形態に係る投射装置の操作スイッチの一例を示す平面図、図４は、本発明の一実施形態に係る投射装置の光学的構成の一例を示す説明図、図５は、本発明の一実施形態に係る投射装置に用いるリモコン装置の一例を示す説明図である。
【００１１】
本発明に係るプロジェクタ装置等の投射装置１は、図１、図２において、一例として、屋内等で無線通信により行われる無線ＬＡＮ１０、有線ＬＡＮ１１と、アンテナから放送信号を受け受信信号を供給するチューナ部１２と、入出力端子５１で示される、主にコンピュータ等が接続されるＤ−ＳＵＢ端子１３と、主に業務用ＶＴＲ（Video Tape Recorder）や、ＢＳデジタルチューナ、ＤＶＤプレーヤ等が接続されることが多いＹＣｂＣｒ端子と、ＶＴＲやテレビジョン等に使用されるＳビデオ端子１５と、コンポジット信号であるＣＶＢＳ端子１６とが、少なくとも、入力選択部２０に接続されている。又、更に、音声端子１８がオーディオプリアンプ部２１に接続されている。オーディオプリアンプ部２１では、入力信号が主に音量や音質・音響効果等の処理がなされた上で、オーディオアンプ部２２に供給される。
【００１２】
又、更に、入力選択部２０において、選択され映像変換されたＲＧＢ信号は、制御部２７に供給される。又、制御部２７からの制御信号に応じて、入力選択部２０及びオーディオプリアンプ部２１は、その動作処理が制御されている。
【００１３】
又、更に、投射装置１は、本体に設けられる電源スイッチ、操作スイッチ等の操作部２３と、操作情報を表示する操作表示部２３−２と、図５で示されるリモコンＲと通信処理を行うリモコン部２４と、制御信号を取り入れるＲＳ２３２Ｃ端子２５とメモリ部２６とを有しており、これらは、それぞれ、制御部２７に接続されている。又、制御部２７は、メモリ部２８と、ランプ電源制御部３２と、操作シーケンス記憶部３２−３とを有しており、更に、投射装置１の角度を検出して後述するキーストン補正等に用いる角度センサ３８や、レンズユニット３７に内蔵するフォーカスモータ・ズームモータ３９が接続されている。
【００１４】
更に、制御部２７の出力を受けて、後述する各種設定モードを設定する設置モード設定部３３と、これの出力と制御部３４からの映像信号とを受けて映像処理を施すビデオ処理部３４と、ビデオ処理部３４で映像処理された映像信号をＲ信号、Ｇ信号、Ｂ信号毎に展開する展開部３５と、ここから液晶表示駆動電流を受けて、液晶画面等に画像表示を行うＲ液晶表示部３６Ｒ、Ｇ液晶表示部３６Ｇ、Ｂ液晶表示部３６Ｂを有している。
【００１５】
更に、投射装置１は、電源部２９を有し、電源部２９からは、スイッチ部３２−２を介して所望の出力比率の駆動電流がランプ部３１に供給されており、ランプ部３１では、投射した投射光は、それぞれ、液晶表示部３６Ｒ，３６Ｇ，３６Ｂに到達し透過して、映像を含んだ投射光として、図示しないスクリーン等に投射される。又、このスイッチ部３２−２の動作は上述したランプ電源制御部３２により制御されるものである。
【００１６】
又、図３において、操作部２３は、具体的には、電源スイッチＫ１、上カーソルキーＫ２、下カーソルキーＫ３、左カーソルキーＫ４、右カーソルキーＫ５、リターンキーＫ６、インプットキーＫ７、メニュキーＫ８、セットアップキーＫ９、発光ダイオードＬ１、Ｌ２、Ｌ３、Ｌ４、エンターキーＫ１０をそれぞれ有している。
【００１７】
又、更に、投射装置１の光学的構成として、図４において、投射ランプ３５は、光学ユニット４１の近傍に配置される。光学ユニット４１から照射された照射光は、マルチレンズ４２と、これに隣接して設けられた凸レンズ４３とを通過して、透過ミラーを通過し又はこれに反射して、各液晶パネル３６Ｒ，３６Ｇ，３６Ｂを透過する。これにより、投射ランプ３１からの照射光は、映像を乗せた状態でプロジェクションレンズ３７から照射され、投射光が投射される図示しないスクリーン等に映像を結像させる。ここで、プロジェクションレンズ３７は、フォーカスモータ、ズームモータＭを内蔵しており、制御部２７からそれぞれ制御信号を供給されて適正なフォーカス制御、ズーム制御を行っている。
【００１８】
又、図５において、本発明の一実施形態に係る投射装置１に用いられるリモコンＲは、入力信号の切替えを行う入力切替ボタン５１、メニュでの選択や調整などで選択や決定などを行う選択・ＯＫボタン５２、上カーソルキー５２−１、下カーソルキー５２−２、左カーソルキー５２−３、右カーソルキー５２−４、エンターキー５２−５、メニュの表示を行うメニュボタン５３、各種設定スイッチ５４、映像モードの選択を行うピクチャモードボタン５５、画面サイズの選択を行うサイズボタン５６、登録したユーザ設定の呼び出しを行うユーザボタン５７、映像を静止するフリーズボタン５８、サラウンド効果のモード選択をもつサラウンドボタン５９、映像と音声を一時的に消すスリープボタン６０、映像の拡大表示を行うズームボタン６１をそれぞれ有している。
【００１９】
又、更に、本発明の一実施形態に係る投射装置１が外部装置と接続される際は、外部入力装置であるビデオデッキＶが、コンポジット端子１６とオーディオ端子１８、Ｓビデオ端子１５を用いて接続されている。又、本発明の一実施形態に係る投射装置１と、外部入力装置であるＤＶＤプレーヤＤとが、ＹＣｂＣｒ端子１４を用いて接続される。又、本発明の一実施形態に係る投射装置１と、外部入力装置であるパーソナルコンピュータＣとが、Ｄ−ＳＵＢ端子１３を用いて接続されることが一般的である。
【００２０】
（基本動作）
次に、上記した投射装置１の動作について図面を用いて以下に詳細に説明する。初めに操作部２３やリモコンＲの電源投入の操作を受けると、後述するランプ電源のセキュリティ機能が設定されていない際は、投射装置１が起動され、入力切替ボタン５１等で特定される映像信号が入力選択部２０により選択される。すなわち、ここでは、リモコンＲ等の入力切替えボタン５１の操作により、例えば、“ＹＰｂＰｒ”が選ばれると、入力選択部２０によりＹＰｂＰｒ端子１４を介して外部のＤＶＤプレイヤＤからのコンポーネント映像信号が選択される。そして、コンポーネント映像信号は、入力選択部２０により信号種類が判断され、その信号種類に応じた画像変換処理がなされて、ＲＧＢ信号が出力される。
【００２１】
なお、ＹＰｂＰｒ端子のコンポーネント信号に限らず、無線ＬＡＮ１０、有線ＬＡＮ１１を介してネットワークから取得した場合、映像信号や、チューナ部１２から取得した映像信号の場合、又、Ｓビデオ端子１５から取得した映像信号の場合、コンポジット信号であるＣＶＢＳ端子１６から取得した映像信号においても、操作部２３，２４により特定され、映像信号の種類が判断され、これに応じて、ＲＧＢ信号へと画像変換される動作は同じである。
【００２２】
入力選択部２０から供給されたＲＧＢ信号は、制御部２７に供給される一方、操作部２３やリモコン部２４により、例えば、サイズボタン５６で指定された映像様式や映像サイズに応じて、設定モード設定部３３により制御信号がビデオ処理部３４へと供給される。ビデオ処理部３４では、与えられた制御信号に応じて、制御部２７から供給されたＲＧＢ信号に対して画像変換処理を施し、要求されている映像様式や映像サイズへと変換する。
【００２３】
更に、映像モードの選択を行うピクチャモードボタン５５の操作が“ＣＩＮＥＭＡ”とあれば、これに応じた映像モードとなるべくＲＧＢ信号に画像処理を施して、例えば、映画用の映像信号へと変換する。
【００２４】
変換された映像信号は、ビデオ処理部３４から展開部３５に供給され、Ｒ信号、Ｇ信号、Ｂ信号ごとに展開され、Ｒ液晶表示部３６Ｒ、Ｇ液晶表示部３６Ｇ、Ｂ液晶表示部３６Ｂの液晶画面へとそれぞれ映像表示される。一方で、電源部２９から電源が供給されたランプのドライバ部３０では、例えば、１００％の出力や、５０％の出力等の制御を受けて、ランプ部３１に駆動電流を供給している。ランプ部３１は、この駆動電流に応じて、投射光を発光させ、図４に示すように、この投射光は、マルチレンズ４２とこれに隣接して設けられた凸レンズ４３とを通過して、透過ミラーを通過し又はこれに反射して、各液晶パネル３６Ｒ，３６Ｇ，３６Ｂを透過する。これにより、投射ランプ３１からの投射光は、映像を乗せた状態でプロジェクションレンズ３７から照射され、投射光が投射される図示しないスクリーン等に映像を結像させる。
【００２５】
又、更に、プロジェクションレンズ３７は、操作部２３、リモコン部２４の操作に応じて、ズームボタン６１等の操作に応じて、制御部２７で生成された制御信号がフォーカスモータＭやズームモータＭに供給され、投射光に適切なフォーカス制御やズーム制御を与えている。
【００２６】
以上、説明したように、このような基本機能を有する投射装置１において、以下に述べるように、ランプ電源の認証処理（セキュリティ機能）を行うものである。
【００２７】
＜電源投入時の認証処理（セキュリティ機能）＞
次に、電源投入時の認証処理について、図面を用いて以下に詳細に説明する。図６は、本発明の一実施形態に係る投射装置の認証操作の一例を示すフローチャート、図７は、本発明の一実施形態に係る投射装置のセキュリティ機能の設定操作の一例を示すフローチャートである。
【００２８】
・認証処理
初めに、図６のフローチャートを用いて、電源投入時の認証処理を説明する。投射装置１は、電源部２９からの電源コードが例えば家庭用コンセント等に接続され、交流電圧が電源部２９に加わると、電源部２９から、例えば、５Ｖや１２Ｖ等の所定電源が、制御部２７に供給される（Ｓ１１）。この状態では、電源スイッチＫ１等（リモコンＲによる電源投入も可）がユーザにより押下されることを待機する状態、電源投入の待機状態となる。この状態は、電源スイッチＫ１等投入の準備段階で、スイッチ部３２−２はオフであり、ランプ部３１は電源が電源部２９から供給されておらず、点灯していない。
【００２９】
ここで、電源スイッチＫ１が押されると（Ｓ１２）、本発明の一実施形態である電源投入時の認証処理が制御部２７のランプ電源制御部３２に設定されているかどうかが制御部２７により判断され（Ｓ１３）、セキュリティ機能が動作していない場合はそのまま電源投入状態となる（Ｓ１７）。
【００３０】
セキュリティ機能が動作している場合は、認証コードを受け付ける状態となり、制御部２７のランプ電源制御部３２の制御により発光ダイオードＬ１〜Ｌ４等を点滅させてセキュリティ機能が設定されており操作スイッチの入力を促す旨の表示を行うことが好適である（Ｓ１４）。又、操作部２３の操作表示部２３−２によって、セキュリティ機能が設定されており入力を促す旨の表示を行うことも好適である。又、オーディオアンプ２２を介して、スピーカ１９から警告音を発しても良いし、図示しないブザーを鳴らすことも好適である。
【００３１】
これに対して、ユーザは、認証コードを図３の本体キーＫ１〜Ｋ１０により入力するか、図５のリモコンＲの入力キー５１〜６１により入力する（Ｓ１５）。これに対して、制御部２７のランプ電源制御部３２は、入力された操作情報と、制御部２７の操作シーケンス記憶部３２−３との情報とを比較して一致しているかどうかを判断し（Ｓ１６）、一致していなければ、ステップＳ１２の電源投入待機状態に戻り、電源ボタンＫ１が押下されることを待機する。このときに、上述したように、発光ダイオードＬ１〜Ｌ４等を点滅させたり、操作表示部２３−２で表示したり、スピーカ１９やブザーで不一致を知らせることも好適である。
【００３２】
ユーザが入力した操作スイッチのシーケンスと操作シーケンス記憶部３２−３に記憶された操作情報とが一致していれば（Ｓ１６）、ランプ電源制御部３２から制御信号をスイッチ部３２−２に供給して、ランプ電源系の電源を電源部２９から供給する（Ｓ１７）。又、他に、電源供給を控えていた部分があれば、同様にこの段階で電源を供給することで、通常の動作に移行するものである（Ｓ１８）。
【００３３】
しかしながら、この時点で、全てのセキュリティが解除されるのではなく、電源が供給された後にも更にパスワードの入力やキー操作等の所定操作を求め、これに対応できない場合は、制御部２７の制御下において、映像信号が与えられていても、Ｒ液晶表示部３６Ｒ、Ｇ液晶表示部３６Ｇ、Ｂ液晶表示部３６Ｂに表示がなされないようにビデオ処理部３４、展開部３５を制御することも好適である。こうすることで、非常に高いセキュリティが投射装置１に与えられることとなる。
【００３４】
・設定処理
なお、このときの操作スイッチ２３やリモコンＲの操作シーケンスは、任意に設定することが可能であり、次に、設定可能な操作シーケンスについて詳細に説明する。すなわち、本発明の一実施形態に係る投射装置１は、図７のフローチャートに示すように、例えば、セキュリティ機能の動作・停止と認証コードの登録について、保護を高めるために通常の調整設定用のメニュとは別に、専用のセキュリティ機能設定メニュを設けることが好適である。
【００３５】
すなわち、メニュ画面を呼びだし（Ｓ２１）、更に、専用の専用のセキュリティ機能設定メニュを呼び出して、ランプ電源系のセキュリティ機能を停止状態から動作状態に切り替えるべく操作する（Ｓ２２）。そして、電源投入を許可するための認証コードを入力する（Ｓ２３）。
【００３６】
ここで、認証コードである操作スイッチの操作について、色々なものを設定することが可能であり、図３に示す本体の操作スイッチＫ１〜Ｋ１０、すなわち、上下左右の各カーソルキーＫ２〜Ｋ５、インプットキーＫ７、リターンキーＫ６、メニュキーＫ８、セットアップキーＫ９、エンターキーＫ１０等が可能である。これらのキーを組み合わせることで、例えば、カーソルキーについて、『上上左右右』であってもよく、又、『インプットキー、メニュキー、リターンキー、リターンキー』等の、通常の操作ではあまり考えられない操作スイッチの操作手順であることが好適である。
【００３７】
又、リモコンＲの所定の操作スイッチが所定手順で押下されることも好適である。更に、電源スイッチＫ１（又は他のスイッチ）が所定時間、例えば、１０秒間、押下され続けることを設定することでも良い。又、電源スイッチＫ１（又は他のスイッチ）を、所定回数、例えば、５回、押下されることを設定するものでもよい。このように、通常の操作からはなれて、操作部の全てについて全ての組合せを対象として、認証コードである操作スイッチを設定することができる。
【００３８】
ここで、入力した認証コードは、再入力を促され（Ｓ２４）、両者が同一であれば、認証コードである操作スイッチのシーケンスは、電源セキュリティが動作状態であることと共に、ランプ電源制御部３２の働きにより、操作シーケンス記憶部３２−３に格納されるものである。最後に、指示に応じて、設定メニュを終了する（Ｓ２７）。
【００３９】
このような操作により、ランプ電源系のセキュリティ機能が設定され、これにより、不当な第三者の電源投入により、高価なランプ部の寿命が短くなる等の不具合を回避することが可能となる。又、投射装置において、不必要に電源を入れたり切ったりすることによるランプ部の消耗を保護したり、誤操作によって意図せずに投射装置の電源が入ることを防止することも可能となるものである。
【００４０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４１】
例えば、上記実施形態においては、投射装置の一例をプロジェクタ装置として説明したが、本発明は、多くの電子装置において実施することが可能であり、電子装置の内に特にプロジェクタ装置のランプ部のように特に保護したい部分を有するものであれば、同様に適用が可能であり、同様の作用効果を発揮することは言うまでもない。
【図面の簡単な説明】
【００４２】
【図１】本発明の一実施形態に係る投射装置の構成の一例を示すブロック図。
【図２】本発明の一実施形態に係る投射装置の概観の一例を示す概観図。
【図３】本発明の一実施形態に係る投射装置の操作スイッチの一例を示す平面図。
【図４】本発明の一実施形態に係る投射装置の光学的構成の一例を示す説明図。
【図５】本発明の一実施形態に係る投射装置に用いるリモコン装置の一例を示す説明図。
【図６】本発明の一実施形態に係る投射装置の認証操作の一例を示すフローチャート。
【図７】本発明の一実施形態に係る投射装置のセキュリティ機能の設定操作の一例を示すフローチャート。
【符号の説明】
【００４３】
１０…無線ＬＡＮ、１１…有線ＬＡＮ、１２…チューナ部、１３…Ｄ−ＳＵＢコネクタ、１４…コンポーネントビデオ端子、１５…Ｓビデオ端子、１６…ＣＶＢＳ端子、１８…オーディオ端子、１９…オーディオスピーカー、２０…入力選択部、２１…オーディオプリアンプ部、２２…オーディオアンプ部、２３…操作部、２４…リモコン部、２５…ＲＳ２３２Ｃ端子、２６…メモリ部、２７…制御部、２８…メモリ部、２９…電源部、３０…ドライブ部、３１…ランプ部、３２…ランプ電源制御部、３２−２…ランプ電源スイッチ部、３２−３…操作シーケンス記憶部、３３…設置モード設定部、３４…ビデオ処理部、３５…展開部、３６…液晶表示部、３７…プロジェクションレンズ。
【図１】
2005338604.tif 000003
【図２】
2005338604.tif 000004
【図３】
2005338604.tif 000005
【図４】
2005338604.tif 000006
【図５】
2005338604.tif 000007
【図６】
2005338604.tif 000008
【図７】
2005338604.tif 000009